(57)【要約】      （修正有）【課題】簡易に組み立て分解ができる柱と土台、梁の結合構造を備える組立て和室を提供する。【解決手段】柱１と、土台２と、梁とから矩形体に組み立てされる組立て和室において、柱１は、柱１の上下両端部の隣合う２面に干渉しないように位置をずらして雌ネジ座金８を２個ずつ埋め込み、土台２は、土台２の両端部の一面に長穴９を形成し、長穴９の端部側に雄ネジボルト１０を通す長孔を雌ネジ座金８と一致する位置に形成し、梁は、梁の両端部の一面に長穴９を形成し、長穴９の端部側に雄ネジボルト１０を通す長孔を雌ネジ座金８と一致する位置に形成する。【選択図】図２
0003203306.tif 000002
【実用新案登録請求の範囲】
【請求項１】
柱と、土台と、梁とから矩形体に組み立てされる組立て和室において、前記柱は、柱の上下両端部の隣合う２面に干渉しないように位置をずらして雌ネジ座金を２個ずつ埋め込み、前記土台は、土台の両端部の一面に長穴を形成し、該長穴の端部側に雄ネジボルトを通す長孔を前記雌ネジ座金と一致する位置に形成し、前記梁は、梁の両端部の一面に長穴を形成し、該長穴の端部側に雄ネジボルトを通す長孔を前記雌ネジ座金と一致する位置に形成することを特徴とする組立て和室。
【請求項２】
前記土台の長穴は、内側に向くように組み立てすることにより、室外側から結合構造が見えないことを特徴とする請求項１記載の組立て和室。
【請求項３】
前記梁の長穴は、上側に向くように組み立てすることにより、室外側から結合構造が見えないことを特徴とする請求項１記載の組立て和室。
【考案の詳細な説明】
【技術分野】
【０００１】
本考案は、広い洋室の一隅に組み立て分解が可能な部屋を設置できる組立て和室に関する。
【背景技術】
【０００２】
従来、組立て式の数寄屋様式の部屋は、下地枠材と、柱、床枠、鴨居、敷居、梁、床柱、壁板、床板、天井板、壁紙、欄間などの内装キットと、障子、畳、襖、違い棚などの既に作り上げられたユニット品とを組み立てて行うことが知られている（特許文献１を参照）。
その際、柱は、その両端部に組み付けに必要なホゾがプレカットされたものが用いられ、下地枠材は、その一端部に前記ホゾが嵌るホゾ孔がプレカットされたものが用いられる。そして柱は、その一端部に柱の組み立てを容易にする文字が書かれたシールが貼り付けられ、ホゾに焼印による品番が記されており、このように柱に品番、組み付け位置などが記されていると、柱の発注管理、在庫管理、納入管理、及び組み立てなどが容易になる。
【０００３】
しかし、このようなホゾとホゾ孔による組み付けは、旧来より知られている技術であり、それなりの効果が期待できるが、品番や組み付け位置の管理が必要であり、現場で簡易に組み立てることが困難であった。
そのため、組立て和室において、簡易に組み立て分解ができる柱と下地枠材の結合構造が望まれていた。
【先行技術文献】
【特許文献】
【０００４】
【特許文献１】特開２００６−６３７７２号公報（００３４，００３５参照）
【考案の概要】
【考案が解決しようとする課題】
【０００５】
本考案は、簡易に組み立て分解ができる柱と下地枠材の結合構造を備える組立て和室を提供することを目的とする。
【課題を解決するための手段】
【０００６】
本考案の組立て和室は、角材からなる柱と、該柱の下部に結合される四角形長尺材からなる土台と、前記柱の上部に結合される四角形長尺材からなる梁とから矩形体に組み立てされる組立て和室において、前記柱が、柱の上下両端部の隣合う２面に干渉しないように位置をずらして雌ネジ座金を２個ずつ埋め込み、前記土台が、土台の両端部の一面に長穴を形成し、該長穴の端部側に雄ネジボルトを通す長孔を前記雌ネジ座金と一致する位置に形成し、前記梁が、梁の両端部の一面に長穴を形成し、該長穴の端部側に雄ネジボルトを通す長孔を前記雌ネジ座金と一致する位置に形成する。
前記土台の長穴は、内側に向くように組み立てすることにより、室外側から結合構造が見えない。
前記梁の長穴は、上側に向くように組み立てすることにより、室外側から結合構造が見えない。
【考案の効果】
【０００７】
本考案の組立て和室は、柱と、土台と、梁とから矩形体に組み立てされる組立て和室において、前記柱が、柱の上下両端部の隣合う２面に干渉しないように位置をずらして雌ネジ座金を２個ずつ埋め込み、前記土台が、土台の両端部の一面に長穴を形成し、該長穴の端部側に雄ネジボルトを通す長孔を前記雌ネジ座金と一致する位置に形成し、前記梁が、梁の両端部の一面に長穴を形成し、該長穴の端部側に雄ネジボルトを通す長孔を前記雌ネジ座金と一致する位置に形成するため、雄ネジボルトを利用して簡単に組み立てができる。
本考案の組立て和室は、土台の長穴が内側に向くように組み立てすることにより、又梁の長穴が上側に向くように組み立てすることにより、室外側から結合構造が見えないので意匠的効果が好ましい。
本考案の組立て和室は、土台、梁の長孔を利用して柱の雌ネジ座金に雄ネジボルトを簡単に締め付けすることができるため、ボルト締付け工具を利用して容易に組み立て分解することが可能となる。
【図面の簡単な説明】
【０００８】
【図１】本考案の組立て和室の斜視図である。
【図２】柱下部の分解斜視図である。
【図３】柱下部の組み立て斜視図である。
【図４】柱下部の水平部材との組み合わせ説明図である。
【図５】図４のＡ−Ａ矢視断面図である。
【図６】図４のＢ−Ｂ矢視断面図である。
【図７】柱上部の水平部材との組み合わせ説明図である。
【図８】図７のＣ−Ｃ矢視断面図である。
【考案を実施するための形態】
【０００９】
本考案の組立て和室の一実施例を添付図面に基づいて、以下に説明する。
図１の斜視図に示すように、本考案の組立て和室は、角材からなる柱１と、該柱１の下部に結合される四角形長尺材からなる土台２と、前記柱１の上部に結合される四角形長尺材からなる梁３とから矩形体に組み立てされる。
図２の分解斜視図に示すように、前記柱１は、柱１の上下両端部の隣合う２面に干渉しないように位置をずらして雌ネジ座金８を２個ずつ埋め込み、前記土台２は、土台２の両端部の一面に長穴９を形成し、該長穴９の端部側に雄ネジボルト１０を通す長孔１１を前記雌ネジ座金８と一致する位置に形成し、前記梁３は、梁３の両端部の一面に長穴９を形成し、該長穴９の端部側に雄ネジボルト１０を通す長孔１１を前記雌ネジ座金８と一致する位置に形成する。
図１において、畳４は正方形の琉球畳を使用しているが、通常の長方形の畳でもよい。
この実施例では、正面側の障子５及び左側面側の障子５はスライド可能であり、正面側の障子５はルーバー６の内側に収納されている。
また、背面側及び右側面側の襖７は、スライド可能である。
なお、天井は採光のため空間となっているが、照明器具を配置して天井板を設けてもよい。
【００１０】
前記柱１は、図２に示すように、角材の上下両端部の隣合う２面に雌ネジ座金８を干渉しないように位置をずらして２個ずつ埋め込む。なお、前記雌ネジ座金８は斜めに配置してもよいし、又は直線に配置してもよいが、互いに干渉しないように配慮する。
前記土台２は、四角形長尺材の両端部の一面に中ぐり加工により刳り貫き、ボルト締付け工具を使用できる長穴９を形成し、該長穴９の端部側に雄ネジボルト１０を通す長孔（図示せず）を形成し、この長孔（図示せず）は、前記雌ネジ座金８と一致する位置に形成する。
前記梁３は、図７の説明図に示すように、四角形長尺材の両端部の一面に中ぐり加工により刳り貫き、ボルト締付け工具を使用できる長穴９を形成し、該長穴９の端部側に雄ネジボルト１０を通す長孔１１を形成し、この長孔１１は、前記雌ネジ座金８と一致する位置に形成する。
【００１１】
次に、本考案の組立て和室の操作動作を添付図面に基づいて、以下に説明する。
柱１を垂直に立て、図４の組み合わせ説明図に示すように、柱１の下端部の隣合う２面の雌ネジ座金８に土台２の長穴９の長孔１１を一致するように配置する。
その際、図２に示すように、土台２の長穴９は、内側の畳４側に向くように配置することにより、図１に示すように室外側から結合構造が見えない。すなわち、図５のＡ−Ａ矢視断面図及び図６のＢ−Ｂ矢視断面図に示すように、内側の畳４側に向くように配置される。
そして、前記長孔１１に雄ネジボルト１０を差し込み、ボルト締付け工具により、前記雄ネジボルト１０を雌ネジ座金８に締付けて固定する。
さらに、残りの三隅に柱１を垂直に立てて、同様にして柱１に土台２を連結する。
【００１２】
次に、図７に示すように、前記柱１の上端部の隣合う２面の雌ネジ座金８に梁３の長穴９の長孔１１を一致するように配置する。
その際、梁３の長穴９は、図８のＣ−Ｃ矢視断面図に示すように、上側に向くように配置することにより、図１に示すように室外側から結合構造が見えない。
そして、前記長孔１１に雄ネジボルト１０を差し込み、ボルト締付け工具により、前記雄ネジボルト１０を雌ネジ座金８に締付けて固定する。
さらに、残りも同様にして柱１に梁３を連結する。
【００１３】
このようにして、角材からなる柱１と、該柱１の下部に結合される四角形長尺材からなる土台２と、前記柱１の上部に結合される四角形長尺材からなる梁３とを矩形状に組み立てて和室骨組みを形成する。
その後、前記土台２に囲まれた床の矩形空間に畳４を敷設し、正面側と左側面側に障子５、ルーバー６を設け、背面側と右側面側に襖７を設けて組立て和室を完成する。
【符号の説明】
【００１４】
１  柱
２  土台
３  梁
４  畳
５  障子
６  ルーバー
７  襖
８  雌ネジ座金
９  長穴
１０  雄ネジボルト
１１  長孔
【図１】
0003203306.tif 000003
【図２】
0003203306.tif 000004
【図３】
0003203306.tif 000005
【図４】
0003203306.tif 000006
【図５】
0003203306.tif 000007
【図６】
0003203306.tif 000008
【図７】
0003203306.tif 000009
【図８】
0003203306.tif 000010